(57)【要約】      （修正有）【課題】電気モ−タ−や電気圧縮器などを全く用いず、構造が単純で耐久性が高く、何よりも使用者自身がスピ−ドや強弱などの使用条件を自分の好みに応じて任意に変えて治療その他に使用出来るマッサージ器を提供する。【解決手段】中央部に空気量調節口を形成したアコ−ディオン状の空気流入器は、両端に作動させるための装着部を形成し、これにＴ字状に直行する複筒基部に固定された複筒蛇腹部を設け、さらに複筒部の内部には伸縮させるためのスプリングと作動中回転するプロペラとが配置され、前記空気流入器の伸縮した力によって発生した空気圧によって、複筒部全体が伸縮と同時に振動することを特徴とする。【選択図】図１
0003146808.tif 000002
【実用新案登録請求の範囲】
【請求項１】
中央部に空気量調節口を形成したアコ−ディオン状の空気流入器は、両端に作動させるための装着部を形成し、これにＴ字状に直行する複筒基部に固定された複筒蛇腹部を設け、さらに複筒部の内部には伸縮させるためのスプリングと作動中回転するプロペラとが配置され、前記空気流入器の伸縮した力によって発生した空気圧によって、複筒部全体が伸縮と同時に振動することを特徴とする往復運動する女性用複筒型マッサ−ジ器。
【考案の詳細な説明】
【技術分野】
【０００１】本考案は腟などの内壁への刺激を与えるマッサ−ジ器に関する。
【背景技術】
【０００２】  従来のマッサ−ジ器は主に微細な振動や円を描くような単純なもみあげ運動に限られていた。なお、関連技術には下記の物件がある。
【特許文献１】特開２００４−３１３６８９号公報上記特許文献１は指圧部を備えたマッサ−ジ器において、モ−タ−の回転軸に、回転運動をリニアな往復運動に変換する変換機が取り付けられ、この変換機の出力部分に指圧具が設けられた、スライド式指圧部を備えたマッサ−ジ器である。
【考案の開示】
【考案が解決しようとする課題】
【０００３】  特許文献１では、往復運動するのは指圧具が設けられた部分のみであり、マッサ−ジ器全体の往復運動には程遠い。またその動力を電気モ−タ−に依存する点では従来のただ振動するだけだったり、単純な円運動を繰り返すだけのマッサ−ジ器と同じである。
本考案では完全な往復運動を達成し、しかも電気モ−タ−や電気圧縮器などを全く用いず、構造が単純で耐久性が高く、何よりも使用者自身がスピ−ドや強弱などの使用条件を自分の好みに応じて任意に変えて治療その他に使用出来ることを目的とするものである。
【課題を解決するための手段】
【０００４】本考案は上記課題を解決するために
中央部に空気量調節口を形成したアコ−ディオン状の空気流入器は、両端に作動させるための装着部を形成し、これにＴ字状に直行する複筒基部に固定された複筒蛇腹部を設け、さらに複筒部の内部には伸縮させるためのスプリングと作動中回転するプロペラとが配置され、前記空気流入器の伸縮した力によって発生した空気圧によって、複筒部全体が伸縮と同時に振動することを特徴とする往復運動する女性用複筒型マッサ−ジ器。
【考案の効果】
【０００５】  本考案は上記構成から成るので以下に示す効果が期待できる。
１、完全な往復運動と振動を同時に行うマッサ−ジ器である。
２、電気モ−タ−や電気圧縮器を用いず、使用者の脚や腕などに取付けて作動させ、省資    源・省エネルギ−であり、しかもエクササイズの効果も期待できる。
３、上記により、マッサ−ジの早さや強弱など使用者の好みが自由自在に調整できる。
【考案を実施するための最良の形態】
【０００６】  以下、本考案の実施の形態を図面を参照して説明する。図１及び図５に示すように空気量調節口４を形成した空気流入器１は、アコ−ディオン状の空気流入器蛇腹部３を持ち、その両端には空気流入器装着用ストラップ２を備え、使用者は両脚の大腿部でストラップを締め、空気流入器１を両脚で挟み込むように装着する。本考案の素材としてカ−ボン繊維・プラスチック・ゴムなどが考えられる。【０００７】  使用者は該マッサ−ジ器を装着後、図１の空気流入器基部５の中央に位置する空気量調節口４のネジ蓋を開け、両脚を左右に開き空気流入器１内に充分な空気を取り入れた後にネジ蓋を締める。使用に際し、使用者それぞれに適した空気量を調整する。【０００８】  図６に示すように使用者が両脚を閉じると、図１の空気流入器１内で圧縮された空気は空気流入器１に対してＴ字状に直行する空気流入管６を経て複筒部７に達する。【０００９】  図１の複筒部７は、複筒基部８・複筒蛇腹部１２・内筒９・外筒１０から成り、図４のように外筒１０の内側に内筒９がわずかのクリアランスを持って重なり、両者の間には潤滑のためのグリ−スが塗布されている。【００１０】  図１の複筒部７に達した空気はその圧力により、外筒１０を図６のように押し出す。図１に示すように内筒９は複筒基部８にネジ込み式に固定されているが外筒１０は複筒蛇腹部１２を介して複筒基部８につながっているので、複筒蛇腹部１２の伸長分だけ押し出される。使用者は外筒１０の先端をマッサ−ジを行う部位に押し付けて使用する。【００１１】  図７に示すように使用者が脚を開くと、空気流入器１が押し拡げられ内部の空気圧が低下し、空気流入器基部５にネジ止めされた空気流入管６を通して複筒部７内の空気が吸い出され複筒部７は収縮する。このように使用者の脚の開閉により、複筒部７の伸長・収縮の運動がおこる。【００１２】  このような複筒部７の動きを補助し円滑にするために、複筒部７内には図２に示すような作動補助スプリング１１が内蔵されている。このスプリングは内筒９・外筒１０のそれぞれ内側先端どうしを結んでいる。図６・図７に示すように、複筒部７の伸長・収縮時の動きを補助し、また複筒部７が伸長・収縮し切った時のショックを和らげる働きもする。【００１３】  さらに図３に示すように内筒９内部には非対称プロペラ１３が非対称プロペラ取付ステイ１４と非対称プロペラ取付リング１５を介して取付けられている。このプロペラは大・小の大きさの異なる二枚羽で構成され、図６及び図７に示すように内筒９内部の空気の流れによって回転し、その偏心の構造により微細に振動する。複筒部７の伸長・収縮に伴い微細な振動も発生し、マッサ−ジの効果が高まる。【００１４】  また該マッサ−ジ器の使い方として、両脚に装着する以外に、両腕に装着しても使用できる。さらに空気流入器装着用ストラップ２の片方のみを柱や机の脚などに固定して、残りの片方だけで作動させることも可能である。このように使用者のアイデアや使い方でマッサ−ジやエクササイズの効果も高まることが期待される。
【図面の簡単な説明】
【００１５】
【図１】空気流入器及び往復運動する女性用複筒型マッサ−ジ器の断面図。
【図２】作動補助スプリング取付断面図。
【図３】非対称プロペラ取付断面図。
【図４】非対称プロペラ取付図。
【図５】空気流入器及び往復運動する女性用複筒型マッサ−ジ器の外観図。
【図６】往復運動する女性用複筒型マッサ−ジ器の伸長時の作動図。
【図７】往復運動する女性用複筒型マッサ−ジ器の収縮時の作動図。
【符号の説明】
【００１６】１空気流入器
２空気流入器装着用ストラップ
３空気流入器蛇腹部
４空気量調節口
５空気流入器基部
６空気流入管
７複筒部
８複筒基部
９内筒
１０外筒
１１作動補助スプリング
１２複筒蛇腹部
１３非対称プロペラ
１４非対称プロペラ取付ステイ
１５非対称プロペラ取付リング
【図１】
0003146808.tif 000003
【図２】
0003146808.tif 000004
【図３】
0003146808.tif 000005
【図４】
0003146808.tif 000006
【図５】
0003146808.tif 000007
【図６】
0003146808.tif 000008
【図７】
0003146808.tif 000009